(57)【要約】【課題】本発明のパネル体は、固定部を外観上から隠すことで外観の毀損を招くことがなく、組立て・分解時には容易に外部から作業を行うことが可能であるため、作業性を損なうことなく形成可能なパネル体を提供することを目的とする。【解決手段】第一面板２と第二面板３を板厚方向に組み合わせて形成されるパネル体１であって、前記第一面板２と前記第二面板３の互いに対向する面の間に、前記第一面板２と前記第二面板３とが互いに離間するのを規制するとともに、前記第一面板２及び前記第二面板３を前記対向する面に沿って相対移動させることで規制を解除可能な規制部４１、４２と、互いに組み合わされた前記第一面板２及び前記第二面板３の一の外縁に形成された溝に設けられ、該溝の内部で前記第一面板２と前記第二面板３とを固定する固定部とを有することを特徴とする。【選択図】図１
2014039744.tif 000002
【特許請求の範囲】
【請求項１】
第一面板と第二面板を板厚方向に組み合わせて形成されるパネル体であって、
前記第一面板と前記第二面板の互いに対向する面の間に、前記第一面板と前記第二面板とが互いに離間するのを規制するとともに、前記第一面板及び前記第二面板を前記対向する面に沿って相対移動させることで規制を解除可能な規制部と、
互いに組み合わされた前記第一面板及び前記第二面板の一の外縁に形成された溝に設けられ、該溝の内部で前記第一面板と前記第二面板とを固定する固定部とを有することを特徴とするパネル体。
【請求項２】
前記第一面板及び前記第二面板は、前記一の外縁で、それぞれ内側へと折り返された、折れ片を有し、前記溝は、前記第一面板及び前記第二面板の該折れ片が組み合わされて形成され、前記固定部は該溝の内部で該折れ片同士を連結することを特徴とする請求項１に記載のパネル体。
【請求項３】
前記固定部は、前記第一面板と前記第二面板の前記折れ片にまたがって配設され、それぞれの前記折れ片に締結される連結片を有することを特徴とする請求項１又は２に記載のパネル体。
【請求項４】
前記折れ片は、互いに重ねられていて、重ねられた部分で締結されていることを特徴とする請求項１から３のいずれか一項に記載のパネル体。
【請求項５】
前記規制部は、前記溝に沿って前記第一面板及び前記第二面板を相対移動させることで、規制を解除可能であることを特徴とする請求項１から４のいずれか一項に記載のパネル体。
【発明の詳細な説明】
【技術分野】
【０００１】
本発明は、パネル体に関する。
【背景技術】
【０００２】
従来、オフィス等における執務空間においては、互いの視線を遮ることによって良好な執務環境を提供するために、執務者同士の間にパネルを設置する場合がある。例えば、執務空間に執務者用のデスクが複数配置される場合において、デスクが配置される空間と、当該デスクと隣接する空間、または隣接する他のデスクが配置される空間とを区画する場合にパネルが用いられる。
【０００３】
こうしたパネル体の構造としては、枠体状をなす芯材の前後面に外板を取り付けることによって構成したものが多く見られている。この構造によれば、パネル体を強固に構成することができる（例えば、特許文献１参照。）。
しかしながら、パネル体の部品点数が多くなり構造が煩雑化するため、組立て・分解に手間がかかってしまい作業性が悪いという問題があった。
【０００４】
また、パネル体の構造を単純化し、デスクの脚部等に脚部を挟持するように取り付け部に設置し、パネル体の上下もしくは左右の面に対して設置された梁材を取り付け部へ挿入することで、簡単に取り付くようにし、組立て工数を削減する方法も多くある。（例えば、特許文献２参照）。
しかしながら、この方法では簡易的な構造である反面、パネル体とデスクとの取り付け部や固定するための締結部という使用時には不要な部分が、外観部に露出することになるため、体裁が悪くなってしまう。
【０００５】
また、平面矩形状の面材の四辺を内向きに曲げることによって箱形状とした前後一対のパネル体構造部材を、一方の面材裏面の中空部に設けた係止部を、他方の面材裏面中空部に設けた被係止部に一方向の移動を規制するよう係止させ、且つ、同時に当該係止部に抜け止め機構を設けることで他方向への移動も規制する固定部をパネル体内部に形成する方法が考えられている（例えば、特許文献３参照）。
この構造によれば、固定部がパネル体内部に係止部と合わせて形成されるため、固定部など使用時に不要な部分が外観部へ露出することがなく体裁の良いパネル体を作成することが可能となる。
【先行技術文献】
【特許文献】
【０００６】
【特許文献１】特許第３３４９４３５号公報
【特許文献２】特許第３７９０８３６号公報
【特許文献３】特開２０１１−２１２０４２号公報
【発明の概要】
【発明が解決しようとする課題】
【０００７】
しかしながら、特許文献３に記載のパネル体においては、当該固定部がパネル体の内部の視認できない領域にあるため、外部から確認しながら組立て・分解を行うことができず、組立て・分解時にパネル体内部の固定部や係止部などの部品が干渉しあい、作業性を悪化させる。
【０００８】
本発明は、上記課題を解決するためになされたものであって、固定部を外観上から隠すことで外観の毀損を招くことがなく、組立て・分解時には容易に外部から作業を行うことが可能であるため、作業性を損なうことなく形成可能なパネル体を提供するものである。
【課題を解決するための手段】
【０００９】
上記課題を解決するために、本発明は以下の手段を提案している。
第一面板と第二面板を板厚方向に組み合わせて形成されるパネル体であって、第一面板と第二面板を板厚方向に組み合わせて形成されるパネル体であって、前記第一面板と前記第二面板の互いに対向する面の間に、前記第一面板と前記第二面板とが互いに離間するのを規制するとともに、前記第一面板及び前記第二面板を前記対向する面に沿って相対移動させることで規制を解除可能な規制部と、互いに組み合わされた前記第一面板及び前記第二面板の一の外縁に形成された溝に設けられ、該溝の内部で前記第一面板と前記第二面板とを固定する固定部とを有することを特徴とする。
【００１０】
このような構成によれば、第一面板と第二面板とは、互いに対向する面の間に配置された規制部によって、対向する面に沿う方向へ相対移動させることにより規制を解除可能な状態で、互いに離間することが規制されている。そして、固定部によって一の外縁で固定されていることで、規制部による規制の解除が不能とされており、これにより第一面板と第二面板とは強固に固定されている。一方で、固定部は、外部から容易にアクセス可能な一の外縁で第一面板と第二面板とを固定していることから、容易に固定部による固定を解除可能であり、固定部の固定を解除すれば、第一面板と第二面板とを互いに対向する面に沿って相対移動させるだけで、規制部よる規制も解除して容易に分解することが可能である。そして、このように容易かつ強固に第一面板と第二面板とを固定することが可能であるにも係らず、固定部が一の外縁に形成された溝に設けられていることから、固定部を外観上から隠すことができ、外観の毀損を招くことなくパネル体を形成可能となる。
【００１１】
また、本発明のパネル体においては、前記第一面板及び前記第二面板は、前記一の外縁で、それぞれ内側へと折り返された、折れ片を有し、前記溝は、前記第一面板及び前記第二面板の該折れ片が組み合わされて形成され、前記固定部は該溝の内部で該折れ片同士を連結することを特徴とする。
【００１２】
このような構成によれば、第一面板及び第二面板のそれぞれの折れ片によって容易に外縁部に溝を設けることができ、当該溝により固定部を容易に外観上から隠すことができる。
【００１３】
さらに、本発明のパネル体においては、前記固定部は、前記第一面板と前記第二面板の前記折れ片にまたがって配設され、それぞれの前記折れ片に締結される連結片を有することを特徴とする。
【００１４】
このような構成によれば、第一面板と第二面板との固定部にそれぞれにまたがって配設された折れ片とは別部品となる連結片を用いることで、各折れ片の構造を単純な形状で作成することができ、単純な形状の部品構成でパネル体を形成可能となる。
【００１５】
また、本発明のパネル体においては、前記折れ片は、互いに重ねられていて、重ねられた部分で締結されていることを特徴とする。
【００１６】
このような構成によれば、折れ片を重ねることによって、第一面板と第二面板のみで固定部を設けられるため、第一面板と第二面板とだけで固定することが可能となり、少ない部品数でパネル体を形成可能となる。
【００１７】
さらに、本発明のパネル体においては、前記規制部は、前記溝に沿って前記第一面板及び前記第二面板を相対移動させることで、規制を解除可能であることを特徴とする。
【００１８】
このような構成によれば、第一面板と第二面板とを対向する面に沿って相対移動する際に、第一面板と第二面板とに配置された規制部は、固定部の備えられている溝に沿わせながら移動させるため、外部から移動方向が確認できるとともに、規制部と固定部が干渉せずに動くことが出来るため、組立て・分解時の作業性がより向上する。
【発明の効果】
【００１９】
本発明のパネル体によれば、規制部及び固定部をパネル体の外観上から隠して配置することで、外観の毀損を招くことがなく、さらに、組立て・分解時には容易に外部から作業を行うことが可能であるため、作業性を損なうことなく形成することができる。
【図面の簡単な説明】
【００２０】
【図１】本発明の第一実施形態に係るパネル体の分解図である。
【図２】本発明の第一実施形態に係るパネル体の規制部の拡大図である。
【図３】本発明の第一実施形態に係るパネル体の組立て図である。
【図４】本発明の第一実施形態に係るパネル体の固定部の拡大図である。
【図５】本発明の第二実施形態に係るパネル体の固定部の拡大図である。
【発明を実施するための形態】
【００２１】
以下、本発明に係る第一実施形態について図１から図４を参照して説明する。
図１に示すように、第一実施形態のパネル体１は第一面板２と、第一面板２と互いに重なって配置される第二面板３と、第一面板２と第二面板３との互いに対向する面同士の間に設けられて互いに離間するのを規制する規制部４と、第一面板２と第二面板３との外縁の一つに設けられて互いを固定する固定部５とを備える。
【００２２】
第一面板２は、矩形板状をなす第一面板２の面部２１と、面部２１の外縁のうちの両側縁２１ａおよび上縁２１ｂから、第二面板３と対向する裏面側へと折り曲げられた曲げ部２２と、面部２１の外縁のうち、両側縁２１ａ及び上縁２１ｂとは別の外縁である下縁２１ｃから、第二面板３と対向する裏面側へ折り曲げられた折れ片２３とを備える。
【００２３】
第一面板２の曲げ部２２は、面部２１の裏面から略垂直に突出する基部２２ａと、該基部２２ａの先端から裏面と略平行になるようにして内向きに突出する縁部２２ｂとを有し、基部２２ａと縁部２２ｂとにより断面視略Ｌ字状に形成されている。
第一面板２の折れ片２３は、面部２１の裏面から、内向きに向かって面部２１とのなす角が鋭角になるよう突出して形成される。
【００２４】
第二面板３は、矩形板状をなす第二面板３の面部３１と、面部３１の外縁のうちの両側縁３１ａおよび上縁３１ｂから、第一面板２と対向する裏面側へと折り曲げられた曲げ部３２と、面部３１の外縁のうち、両側縁３１ａ及び上縁３１ｂとは別の外縁である下縁３１ｃから、第一面板２と対向する裏面側へ折り曲げられた折れ片３３とを備える。
【００２５】
第二面板３の曲げ部３２は、面部３１の裏面から略垂直に突出する基部３２ａと、該基部３２ａの先端から裏面と略平行になるようにして内向きに突出する縁部３２ｂとを有し、基部３２ａと縁部３２ｂとにより断面視略Ｌ字状に形成されている。
第二面板３の折れ片３３は、面部３１の裏面から、内向きに向かって面部３１とのなす角が鋭角になるよう突出して形成される。
【００２６】
図２に示すように、規制部４は、第一面板２の縁部２２ｂに複数形成された被係止孔４１と、第二面板３の縁部３２ｂに被係止孔４１と同数形成された係止部４２とからなる。
被係止孔４１は、矩形状の孔からなる。
係止部４２は、第一面板２と第二面板３が対向配置されたときに第一面板２の縁部２２ｂ上の被係止孔４１に対応するように、第二面板３の縁部３２ｂ上に形成される。そして、縁部３２ｂに矩形状の孔を配置し、当該孔の端部より略垂直に突出する係止部基部４２ａと該係止部基部４２ａの先端から縁部３２ｂと略平行になるように内向きに突出する係止部縁部４２ｂとを有し、係止部基部４２ａと係止部縁部４２ｂとにより断面視略Ｌ字状に形成されている。
【００２７】
図４に示すように、溝５２は、第一面板２と第二面板３が互いに組み合わさることで形成される。つまり、第一面板２と第二面板３が重なって配置されることで、第一面板２の折れ片２３と第二面板３の折れ片３３とによって、外縁よりも内側に凹んだ部分に断面視略逆Ｖ字形状をなして形成される。
【００２８】
固定部５は、外部から第一面板２と第二面板３とに当接して配置される連結片５１と、第一面板２の折れ片２３上に複数配置された第一面板締結ネジ孔５３と、同様に第二面板３の折れ片３３状に複数配置された第二面板締結ネジ孔５４と、外部から各部品を固定する締結ネジ５５とからなる。
【００２９】
連結片５１は、第一平面５１ａと第二平面５１ｂからなる矩形状の板材を断面Ｖ字状に角度をなして当接して配置される。そして、第一平面５１ａと第二平面５１ｂとにそれぞれ複数の円形状の連通孔５１ｃを互いに干渉しないよう離間して配置している。
【００３０】
第一面板締結ネジ孔５３は、第一面板２の折れ片２３上に連結片５１の第一平面５１ａと対向配置された際に、連通孔５１ｃと対応する位置に配置される。
第二面板締結ネジ孔５４は、第二面板３の折れ片３３上に連結片５１の第二平面５１ｂと対向配置された際に、連通孔５１ｃと対応する位置に配置される。
【００３１】
次に、上記構成の第一実施形態のパネル体１の作用について説明する。
このようなパネル体１を組立てる際には、図1及び図２に示すように、第一面板の縁部２２ｂと第二面板の縁部３２ｂとが対向するように配置され、且つ、係止部４２が対応する被係止孔４１に挿入された状態で重ね合わされる。
その後、第二面板３が第一面板２の面部２１に対して互いに対向する裏面同士に沿う方向のうち、溝５２に沿って第一面板２の折れ片２３方向へ相対移動されることで、係止部４２と対応する被係止孔４１同士が係合し、離間方向の動きが規制され、仮固定された状態となる。仮固定の状態では、上記相対移動の向きと反対の向きに相対移動されることで規制部による規制が容易に解除可能な状態にある。
【００３２】
そして、図３及び図４に示すように、仮固定後、第一面板２と第二面板３とが対向して重なりあうことによって、第一面板の折れ片２３と第二面板の折れ片３３とは、パネル体１の下縁２１ｃ、３１ｃに溝５２を形成する。
【００３３】
次に、連結片５１は、この溝５２に対し、溝５２の形状に合うように向きを合わせてから、連結片５１の第一平面５１ａが第一面板２の折れ片２３と当接し、第二平面５１ｂが第二面板３の折れ片３３と当接するように配置される。そして、第一平面５１ａ上の連通孔５１ｃと第一面板締結ネジ孔５３とが連通し、第二平面５１ｂ上の連通孔５１ｃと第二面板締結ネジ孔５４とが連通する状態とする。これらの連通された孔に対し、連通孔５１ｃ側から締結ネジ５５を締結し、連結片５１をそれぞれ第一面板２と第二面板３とに本固定し、パネル体１を組み立てる。本固定の状態では、締結ネジ５５を外すことで容易に固定が解除され、仮固定の状態となる状態にある。
【００３４】
上記のようなパネル体１によれば、第一面板２と第二面板３とは、互いに対向する面部２１、３１の間に配置された被係止孔４１と係止部４２によって、対向する面部２１、３１に沿う方向へ相対移動させることにより規制を解除可能な状態で、互いに離間することが規制されている。そして、固定部５によって、下縁２１ｃ、３１ｃがネジで締結して固定されていることで、被係止孔４１と係止部４２とによる規制の解除が不能とされており、これにより第一面板２と第二面板３とは強固に固定されている。一方で、固定部５は、外部から締結ネジ５５によって外部から下縁２１ｃ、３１ｃで第一面板２と第二面板３とを固定していることから、締結ネジ５５を外すことで容易に固定部５による固定を解除可能であり、固定部５の固定を解除すれば、第一面板２と第二面板３とを互いに対向する面部２１、３１に沿って相対移動させるだけで、被係止孔４１と係止部４２とによる規制も解除して容易に分解することが可能である。
【００３５】
そして、このように容易かつ強固に第一面板２と第二面板３とを固定することが可能であるにも係らず、固定部５が下縁２１ｃ、３１ｃに形成された溝５２に設けられていることから、固定部５の締結ネジ５５や連結片５１を外観上から隠すことができ、外観の毀損を招くことなくパネル体を形成可能となる。
【００３６】
また、第一面板２及び第二面板３のそれぞれの折れ片２３、３３が当接されることによって容易に下縁２１ｃ、３１ｃに断面視略逆Ｖ字形状の溝５２を設けることができ、当該溝５２により固定部５の締結ネジ５５や連結片５１を容易に外観上から隠すことができる。
【００３７】
さらに、第一面板２と第二面板３との固定に折れ片２３、３３とは別部品となる連結片５１を用いることで、折れ片２３、３３の構造を単純な曲げ形状で作成することができ、連結片５１自体も単純な曲げ形状で形成できるため、単純な形状の部品構成でパネル体を形成可能となる。
【００３８】
また、第一面板２と第二面板３とを対向する面部２１、３１に沿って相対移動する際に、被係止孔４１と係止部４２は、通常外部から確認できないが、溝５２に沿わせながら移動させ規制を解除できるようにすることで、外部からでも移動方向が確認できる。そして被係止孔４１と係止部４２が溝５２に沿って移動可能とすることで、相対移動時に折れ片２３、３３と干渉せずに動くことが出来るため、組立て・分解時の作業性がより向上する。
【００３９】
次に、図５を参照して第二実施形態のパネル体１について説明する。
第二実施形態においては第一実施形態と同様の構成要素には同一の符号を伏して詳細な説明を省略する。この第二実施形態のパネル体１は、溝５２及び固定部５の構成について、第一実施形態と相違する。
【００４０】
即ち、第二実施形態では、溝５２は第一面板２の折れ片２３と第二面板３の折れ片３３の代わりに、それぞれ第一面板２の連接折れ片２４と第二面板３の連接折れ片３４とで形成される。そして、固定部５に連結片５１を用いない。
【００４１】
第一面板２の連接折れ片２４は、折れ片２３と同様に、第一面板２の外縁のうち、両側縁２１ａ及び上縁２１ｂとは別の外縁である下縁２１ｃに配置され、面部２１の裏面から、内向きに向かって面部２１とのなす角が鋭角になるよう突出して形成される連接基部２４ａと、当該連接基部２４ａの先端から連接基部２４ａと略垂直になるように外向きに向かって突出する連接縁部２４ｂと有する。そして、連接基部２４ａと連接縁部２４ｂとにより断面視略逆Ｖ字状に形成されている。
【００４２】
第二面板３の連接折れ片３４は、第二面板３の外縁のうち、両側縁３１ａ及び上縁３１ｂとは別の外縁である下縁３１ｃの連接折れ片２４よりも第一面板２の板厚分だけ面部３１の中心に寄った位置に配置される。そして、面部３１の裏面から、内向きに向かって面部３１とのなす角が鋭角になるよう突出して形成される連接基部３４ａと、当該連接基部３４ａの先端から連接基部３４ａと略垂直になるように外向きに向かって突出する連接縁部３４ｂと有する。そして、連接基部３４ａと連接縁部３４ｂとにより断面視略逆Ｖ字状に形成されている。
【００４３】
溝５２は、第一面板２と第二面板３が重なって配置されることで、第二面板３の連接折れ片３４上に第一面板２の連接折れ片２４が重なることで、外縁よりも内側に凹んだ部分に断面視略逆Ｖ字形状をなして形成される。
【００４４】
固定部５は、第一面板２の連接折れ片２４上に複数配置された第一面板連通孔５６と、第二面板３の連接折れ片３４状に複数配置された連接締結ネジ孔５７と、外部から各部品を固定する締結ネジ５５とからなる。
【００４５】
第一面板連通孔５６は、第一面板２の連接基部２４ａと連接縁部２４ｂの面にそれぞれ干渉しないように複数の円形状孔をなして形成される。
連接締結ネジ孔５７は、第一面板連通孔５６と対応する位置に、第二面板３の連接基部３４ａと連接縁部３４ｂの面にそれぞれ干渉しないように複数の円形状孔をなして形成される。
【００４６】
このようなパネル体１を組み立てる際には、第一面板２と第二面板３を対向して重ね合わせる時点で、第一面板２の連接折れ片２４が第二面板３の連接折れ片３４よりも外観側に配置されて重ね合わされる。
その後、第一実施形態と同様に、第二面板３が第一面板２の面部２１に対して互いに対向する裏面同士に沿う方向のうち、溝５２に沿って第一面板２の連接折れ片２３方向へ相対移動されることで、離間方向の動きが規制され、仮固定された状態となる。
【００４７】
そして、図５に示すように、仮固定後、第一面板２と第二面板３とが対向して重なりあうことによって、第一面板の連接折れ片２４と第二面板の連接折れ片３４とは、パネル体１の下縁２１ｃ、３１ｃに溝５２を形成する。
【００４８】
溝５２が形成された時点で、連接折れ片２４の連接基部２４ａ上の第一面板連通孔５６と連接折れ片３４の連接縁部３４ｂ上の連接締結ネジ孔５７が連通し、連接折れ片２４の連接縁部２４ｂ上の第一面板連通孔５６と連接折れ片３４の連接基部３４ａ上の連接締結ネジ孔５７が連通するように配置する。
これらの連通された孔に対し、第一面板２の連接折れ片２４側から締結ネジ５５を締結し、連接折れ片２４と連接折れ片３４とに本固定し、パネル体１を組み立てる。
【００４９】
上記のような実施形態２のパネル体によれば、連接折れ片２４、３４を重ねることによって、第一面板２と第二面板３のみで固定部５を設けられるため、第一面板２と第二面板３とのみで固定する可能となり、少ない部品数でパネル体１を形成可能となる。これにより、部品点数を減らすことが可能となり、コストの低減を図ることが可能となる。
【００５０】
以上、本発明の実施形態について図面を参照して詳述したが、具体的な構成はこの実施形態に限られるものではなく、本発明の要旨を逸脱しない範囲の設計変更等も含まれる。
【００５１】
なお、上記実施形態では、第一面板の折れ片２３及び第二面板の折れ片３３などを折り曲げ加工によって形成したが、これに限るものではない。例えば、溶接によって別部材を第一面板２及び第二面板３に取り付けても良い。
【００５２】
また、連結片５１を長尺の一部品としたが、これに限るものではない。例えば、短尺の部品数点に分けて部分的に用いても良い。
【００５３】
更に、規制部４についても上記実施形態の形に限定されない。例えば、別部品を用いて第一面板２と第二面板３を規制しても良い。また、第一面板２に対して長辺方向の中心を軸対象として被係止孔４１と係止部４２をそれぞれ配置することで、第一面板２と第二面板３を共通の部品として、部品点数の削減を図っても良い。
【符号の説明】
【００５４】
１…パネル体  ２…第一面板  ３…第二面板  ４…規制部  ５…固定部  ２１…（第一面板の）面部  ２２…（第一面板の）曲げ部  ２３…（第一面板の）折れ片  ２４…（第一面板の）連接折れ片  ２１ａ…（第一面板の）両側縁  ２１ｂ…（第一面板の）上縁  ２１ｃ…（第一面板の）下縁  ２２ａ…（第一面板の）基部  ２２ｂ…（第一面板の）縁部  ２４ａ…（第一面板の）連接基部  ２４ｂ…（第一面板の）連接縁部  ３１…（第二面板の）面部  ３２…（第二面板の）曲げ部  ３３…（第二面板の）折れ片  ３４…（第二面板の）連接折れ片  ３１ａ…（第二面板の）両側縁  ３１ｂ…（第二面板の）上縁  ３１ｃ…（第二面板の）下縁  ３２ａ…（第二面板の）基部  ３２ｂ…（第二面板の）縁部  ３４ａ…（第二面板の）連接基部  ３４ｂ…（第二面板の）連接縁部  ４１…被係止孔  ４２…係止部  ４２ａ…係止部基部  ４２ｂ…係止部縁部  ５１…連結片  ５２…溝  ５３…第一面板締結ネジ孔  ５４…第二面板締結ネジ孔  ５５…締結ネジ  ５６…第一面板連通孔  ５７…連接締結ネジ孔  ５１ａ…第一平面  ５１ｂ…第二平面  ５１ｃ…連通孔
【図１】
2014039744.tif 000003
【図２】
2014039744.tif 000004
【図３】
2014039744.tif 000005
【図４】
2014039744.tif 000006
【図５】
2014039744.tif 000007